(57)【要約】【課題】  従来の電子カメラは撮影者が意図した通りの写真が取れるように、撮影に関するパラメータを多く備え、自由にそれらの設定値を変更できるようにしていた。ファインダーを覗きながらこれらの設定値を変更するには、操作部材の配置やその機能を覚えるなどの慣れが必要であった。【解決手段】  本発明においては、ファインダーを覗いている時には、ファインダー内の表示内容を変更するとともに、操作部材に割り当てる機能を単一機能に限定することを特徴とする。これによりカメラに不慣れな者であってもファインダーを覗きながら操作に戸惑うことなく、また、効率的に撮影に関するパラメータを変更することが可能になる。【選択図】  図４
2007163773.tif 000002
【特許請求の範囲】
【請求項１】
接眼ファインダーと、撮影者が前記接眼ファインダーを覗いたことを検知する接眼検知手段と、前記接眼ファインダー内に表示を行う表示手段と、複数の操作手段および、
前記複数の操作手段を用いた撮影に関するパラメータの変更操作方法、ならびに、
撮影に関するパラメータを前記表示手段に表示する表示方法を切り替える切替手段を備え、
前記切替手段は前記接眼検知手段の検出結果に基づき、
前記複数の操作手段を用いた前記撮影に関するパラメータの変更操作方法、ならびに、
前記撮影に関するパラメータを前記表示手段に表示する表示方法を切り替えることを特徴とする電子カメラ。
【請求項２】
前記接眼検知手段により接眼と判断した場合、前記複数の操作手段は共通の単一機能を有することを特徴とする請求項１記載の電子カメラ。
【請求項３】
前記接眼検知手段により接眼と判断した場合、前記複数の操作手段のうち１つ或いは２つ以上の操作手段は共通の単一機能を有し、その他の操作手段の機能は無効にすることを特徴とする請求項１記載の電子カメラ。
【請求項４】
前記接眼検知手段により接眼と判断した場合、前記複数の操作手段のうち１つ或いは２つ以上の操作手段は共通の第1の単一機能を有し、その他の操作手段は第2の共通の単一機能を有することを特徴とする請求項１記載の電子カメラ。
【請求項５】
前記切り替え手段を有効／無効に出来ることが可能なことを特徴とする請求項１記載の電子カメラ。
【発明の詳細な説明】
【技術分野】
【０００１】
本発明は、接眼検知手段を有するカメラに関し、接眼検知手段の検知結果により撮影パラメータの変更操作および表示方法を切り替える機能を有することで、操作性を向上することを可能にしたデジタルカメラの制御に関する。
【背景技術】
【０００２】
一般的に電子カメラでは撮影に関するパラメータは、例えば、シャッター速度値、絞り値、露出補正値、ＩＳＯ感度値、ホワイトバランス設定値、記録画像サイズ及び記録画像画質、その他画作りに影響するパラメータなど様々な項目が用意されている。
【０００３】
これらの設定値を変更する手順としては、カメラに備え付けてあるボタンスイッチ操作部材等を操作して変更する項目を選択し、ダイヤル操作部材等を操作して設定を変更するのが一般的である。また、項目を選択するためのボタン操作部材は複数個備えているのが一般的であり、例えば、ＩＳＯ感度値設定選択ボタン、ホワイトバランス設定選択ボタン等の様に、設定項目それぞれに一対一で割り当ててあることが多い。これにより変更するパラメータ素早く選択できるようになっている。
【０００４】
ところが、設定する項目数が多い場合、設定項目全てに選択操作部材を割り当てようとしても、選択操作部材が多くなりカメラが大型化してしまうため、全ての設定項目に操作部材を割り当てるのは現実的ではない。このような問題に対処すべく、ひとつの操作部材に対し、２つ以上の機能を持たせ、必要に応じて切り替える方法が提案されている。例えば、特開２００２−１２２９２８号広報に記載の提案によるカメラでは、接眼検知手段により接眼状態と判断すると、操作部材に割り当てられている撮影モードとしての機能を有効とし、接眼状態でない場合にはカメラ設定状態であると認識し、操作部材に割り当てられている設定モードとしての機能を有効にしている。
【特許文献１】特開２００２−１２２９２８号公報
【発明の開示】
【発明が解決しようとする課題】
【０００５】
しかしながら、従来の一般的な電子カメラでは、ファインダーを覗きこむとカメラに配置されている操作部材は見ることが出来ない。
【０００６】
例えば、撮影に関する所定のパラメータを変更する際にも、操作部材の位置とそれに割り当てられている機能を覚えている上級者には不都合は無いものの、例えば、初めてカメラを操作する初心者においては、目的とする操作部材の位置や割り当てられている機能の対応がわからないといったことがあった。このため手探りで操作しながら、目的とする操作部材を探す場合があった。
【０００７】
また、カメラの小型化への必要から、全ての設定項目に対してひとつの選択操作部材を割り当てることは難しいことも有り、操作部材が割り当てられない機能については、カメラ背面に備わっているＬＣＤ表示装置などに、いわゆるＧＵＩ（Ｇｒａｐｈｉｃ  Ｕｓｅｒ  Ｉｎｔｅｒｆａｃｅ）の機能を使って、設定用のメニュー画面などを表示する必要があった。この場合、撮影者はファインダーから目を離してＬＣＤ画面を見ながら設定操作をしなくてはならず、撮影のテンポを乱す要因となっていた。
【０００８】
上述の様にファインダーを覗いた時に操作スイッチが見えなくなることに起因する操作の煩わしさ、これに対する対応はいままで十分ではなかった。
【課題を解決するための手段】
【０００９】
接眼ファインダーと、撮影者が前記接眼ファインダーを覗いたことを検知する接眼検知手段と、前記接眼ファインダー内に表示を行う表示手段と、複数の操作手段および、
前記複数の操作手段を用いた撮影に関するパラメータの変更操作方法、ならびに、
撮影に関するパラメータを前記表示手段に表示する表示方法を切り替える切替手段を備え、
前記切替手段は前記接眼検知手段の検出結果に基づき、
前記複数の操作手段を用いた前記撮影に関するパラメータの変更操作方法、ならびに、
前記撮影に関するパラメータを前記表示手段に表示する表示方法を切り替えることを特徴とする。
【００１０】
前記接眼検知手段により接眼と判断した場合、前記複数の操作手段は共通の単一機能を有することを特徴とする。
【００１１】
前記接眼検知手段により接眼と判断した場合、前記複数の操作手段のうち１つ或いは２つ以上の操作手段は共通の単一機能を有し、その他の操作手段の機能は無効にすることを特徴とする。
【００１２】
前記接眼検知手段により接眼と判断した場合、前記複数の操作手段のうち１つ或いは２つ以上の操作手段は共通の第1の単一機能を有し、その他の操作手段は第2の共通の単一機能を有することを特徴とする。
【００１３】
前記切り替え手段を有効／無効に出来ることが可能なことを特徴とする。
【発明の効果】
【００１４】
本発明においては、撮影者がファインダーを覗いていることを接眼検知手段の検知結果を利用して判別し、その結果を基にファインダー内の表示手段の表示内容及び、操作部材に割り当てる機能を変更することで、カメラに不慣れな使用者であってもファインダーを覗きながらでも操作に戸惑うことなく、また、効率的に撮影に関するパラメータを変更することが可能になる。
【発明を実施するための最良の形態】
【００１５】
以下、図面を参照して本発明の実施例を説明する。
【００１６】
図１は、本発明の実施例の構成を示す図である。
【００１７】
図１において、１００は画像処理装置である。
【００１８】
１２は撮像素子１４への露光量を制御するためのシャッター、１４は光学像を電気信号に変換する撮像素子である。
【００１９】
レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００２０】
１６は撮像素子１４のアナログ信号出力をディジタル信号に変換するＡ／Ｄ変換器である。
【００２１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２２】
２０は画像処理回路であり、Ａ／Ｄ変換器１６からのデータ或いはメモリ制御回路２２からのデータに対して所定の画素補間処理や色変換処理を行う。
【００２３】
また、画像処理回路２０においては、必要に応じて、撮像した画像データを用いて所定の演算処理を行い、得られた演算結果に基づいてシステム制御回路５０がシャッター制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００２４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２５】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。
【００２６】
或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としても良い。
【００２７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２９】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、カメラ情報及び撮影に関する情報を表示することも可能である。
【００３０】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３１】
３０は撮影した静止画像や動画像を格納するためのメモリであり、所定枚数の静止画像や所定時間の動画像を格納するのに十分な記憶量を備えている。
【００３２】
これにより、複数枚の静止画像を連続して撮影する連写撮影やパノラマ撮影の場合にも、高速かつ大量の画像書き込みをメモリ３０に対して行うことが可能となる。
【００３３】
また、メモリ３０はシステム制御回路５０の作業領域としても使用することが可能である。
【００３４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３５】
４０は測光手段４６からの測光情報に基づいて、絞り３１２を制御する絞り制御手段３４０と連携しながら、シャッター１２を制御するシャッター制御手段である。
【００３６】
４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００３７】
４４は温度計であり、撮影環境の温度を検出することができる。温度計がセンサー内にある場合はセンサーの暗電流をより正確に予想することが可能である。
【００３８】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００３９】
また、測光手段４６は、フラッシュ４８と連携することによりＥＦ（フラッシュ調光）処理機能も有するものである。
【００４０】
４８はフラッシュであり、ＡＦ補助光の投光機能、フラッシュ調光機能も有する。
【００４１】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００４２】
さらに、測距手段４２による測定結果と、撮像素子１４によって撮像した画像データを画像処理回路２０によって演算した演算結果とを共に用いてＡＦ（オートフォーカス）制御を行っても構わない。
【００４３】
そして、測光手段４６による測定結果と、撮像素子１４によって撮像した画像データを画像処理回路２０によって演算した演算結果とを共に用いて露出制御を行っても構わない。
【００４４】
５０は画像処理装置１００全体を制御するシステム制御回路、５２はシステム制御回路５０の動作用の定数、変数、プログラム等を記憶するメモリである。
【００４５】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４６】
また、表示部５４は、その一部の機能が光学ファインダー１０４内に設置されており、撮影者がファインダーを覗いた時にも撮影に関する情報が認識できる構成となっている。
【００４７】
表示部５４の表示内容のうち、ＬＣＤ等に表示するものとしては、例えば、シングルショット／連写撮影表示、セルフタイマー表示、圧縮率表示、ＩＳＯ感度表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付および時刻表示、外部コンピュータとの接続状態を示す表示、等がある。さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４８】
５６は電気的に消去・記録可能な不揮発性メモリであり、例えばＥＥＰＲＯＭ、ＦＬＡＳＨ  ＭＥＭＯＲＹ等が用いられる。この不揮発性メモリ５６には、各種パラメータなどが格納される。
【００４９】
６０、６２、６４及び６６は、システム制御回路５０の各種の動作指示を入力するための操作手段であり、スイッチやダイヤル、タッチパネル、視線検知によるポインティング、音声認識装置等の単数或いは複数の組み合わせで構成される。
【００５０】
ここで、これらの操作手段の具体的な説明を行う。
【００５１】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、ストロボ投光禁止モード等の各機能撮影モードを切り替え設定することが出来る。
【００５２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００５３】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５４】
６６は再生スイッチで、撮影モード状態において、撮影した画像をメモリ３０或いは記録媒体２００或いは２１０から読み出して画像表示部２８によって表示する再生動作の開始を指示する。
【００５５】
４０４は測距点選択スイッチ、４０６はＡＦモード選択スイッチ、４０８は露出補正スイッチ、４１０は撮影画像サイズ及び画質を選択するスイッチ、４１２はＩＳＯ感度選択スイッチ、４１４はホワイトバランス選択スイッチ、４１６は測光方法選択スイッチである。これらのスイッチはそれぞれのパラメータを変更する際の選択スイッチとして使用される。４０２はダイヤルスイッチであり、回転操作により連続的にスイッチ操作が可能である。また、ＧＵＩ（Ｇｒａｐｈｉｃａｌ  Ｕｓｅｒ  Ｉｎｔｅｒｆａｃｅ）のカーソル操作などにも利用される。
【００５６】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。
【００５７】
また、上記プラスボタン及びマイナスボタンの各機能は、回転ダイヤルスイッチを備えることによって、より軽快に数値や機能を選択することが可能となる。
【００５８】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【００５９】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６０】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６１】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６２】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００６３】
インタフェース及びコネクタとしては、ＰＣＭＣＩＡカード等の規格に準拠したものを用いて構成して構わない。
【００６４】
さらに、インタフェース９０及び９４、そしてコネクタ９２及び９６をＰＣＭＣＩＡカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６５】
１０４は光学ファインダーであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダー機能を使用すること無しに、光学ファインダー１０４のみを用いて撮影を行うことが可能である。また、表示部５４の表示内容のうち、光学ファインダー１０４内の表示部に表示するものとしては、例えば、合焦表示、撮影準備完了表示、手振れ警告表示、フラッシュ充電表示、フラッシュ充電完了表示、記録媒体書き込み動作表示、などの撮影者へ通知する以外に、シャッタースピード表示、絞り値表示、露出補正表示、ＩＳＯ感度設定値、ホワイトバランス設定値、撮影記録画質、撮影記録画像サイズ、測光方法、単写／連写撮影表示、測距点表示等の撮影に関する項目の設定値表示がある。
【００６６】
４００は接眼検知手段であり、光学ファインダー１０４を撮影者が覗きこんだことを検出することが出来る。接眼が検出された時に、画像表示手段２８の機能をＯＦＦしたり、測距手段４２や測光手段４６の動作を開始させることで、カメラを素早く撮影準備状態にすることも可能である。
【００６７】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６８】
１１２は通信手段１１０により画像処理装置１００を他の機器と接続するコネクタ或いは無線通信の場合はアンテナである。
【００６９】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００７０】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００７１】
１３０、１３２はミラーで、レンズ３１０に入射した光線を、一眼レフ方式によって光学ファインダー１０４に導くことが出来る。なお、ミラー１３２は、クイックリターンミラーの構成としても、ハーフミラーの構成としても、どちらでも構わない。
【００７２】
２００はメモリカードやハードディスク等の記録媒体である。
【００７３】
記録媒体２００は、半導体メモリや磁気ディスク等から構成される記録部２０２、画像処理装置１００とのインタフェース２０４、画像処理装置１００と接続を行うコネクタ２０６を備えている。
【００７４】
２１０はメモリカードやハードディスク等の記録媒体である。
【００７５】
記録媒体２１０は、半導体メモリや磁気ディスク等から構成される記録部２１２、画像処理装置１００とのインタフェース２１４、画像処理装置１００と接続を行うコネクタ２１６を備えている。
【００７６】
３００は交換レンズタイプのレンズユニットである。
【００７７】
３０６は、レンズユニット３００を画像処理装置１００と機械的に結合するレンズマウントである。レンズマウント３０６内には、レンズユニット３００を画像処理装置１００と電気的に接続する各種機能が含まれている。
【００７８】
３１０は撮影レンズ、３１２は絞りである。
【００７９】
３２０は、レンズマウント３０６内において、レンズユニット３００を画像処理装置１００と接続するためのインタフェース、３２２はレンズユニット３００を画像処理装置１００と電気的に接続するコネクタである。
【００８０】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００８１】
３４０は測光手段４６からの測光情報に基づいて、シャッター１２を制御するシャッター制御手段４０と連携しながら、絞り３１２を制御する絞り制御手段である。
【００８２】
３４２は撮影レンズ３１０のフォーカシングを制御する測距制御手段、３４４は撮影レンズ３１０のズーミングを制御するズーム制御手段である。
【００８３】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００８４】
図２から図６を参照して、本発明の実施例の動作を説明する。
【００８５】
本実施例では簡単のために、記録画像サイズ・画質、測光方法、ＩＳＯ感度、ホワイトバランス、露出補正、測距点選択の６つを撮影に関するパラメータとして設定できる項目とする。上記６項目以外にも、例えば、調光補正、撮影モード、赤目緩和機能、シャッタースピード、絞り量などについても設定可能としても構わない。
【００８６】
図２は本発明のカメラを、ファインダーを覗き込む方向から見た図である。接眼検知部４００はファインダー１０４の近くに配置されている。接眼検知部４００は、２つある光学パネルの片方から、不図示の赤外ＬＥＤより放出される赤外光を投光し、被検物にあたってはね返った光線をもう一方のパネルを介して不図示の赤外受光素子で受光することで物体を検出する。これにより、撮影者がファインダーを覗き込んだ際に確実に接眼検知出来る構成としている。
【００８７】
４０４、４０６、４０８、４１０、４１２、４１４の各ボタンスイッチは撮影者が親指で操作しやすい位置に集中して配置されている。各ボタンスイッチ及びその付近には、それぞれのボタンの機能がわかるように不図示の刻印或いは印字などがされ、例えば、ＡＦモード選択スイッチ４０６の付近には「ＡＦ」と印字してあり、撮影者が容易にその機能を判別できるようにしている。
【００８８】
ダイヤルスイッチ４０２はシャッタースイッチ６２及び６４の近くに配置され、人差し指にて操作しやすい位置に配置されている。
【００８９】
画像表示部２８には撮影した画像を表示する他に、撮影に関するパラメータの設定値も表示する。
【００９０】
図３はファインダー１０４の内部にある表示部５４の表示内容である。５０２はピントを合わせるための測距点枠であり、不図示のＬＥＤから照射される光を反射することで選択されている測距点を判別することが出来る。本実施例では合計９個の測距点枠を有している。５０４、５０６、５０８、５１０、５１２は撮影に関するパラメータをそれぞれ表示している。５０４は撮影画像サイズ及び画質設定、５０６はＩＳＯ感度設定、５０８は測光方法設定、５１０はホワイトバランス設定、５１２は露出補正設定の値をそれぞれ表している。なお、本実施例ではファインダーは光学式であることを前提にしており、５０２の測距点選択枠以外の表示部５４はＬＣＤで構成され、ファインダー周辺に配置されている。しかし、ファインダーをＥＶＦ（Ｅｌｅｃｔｒｉｃ  Ｖｉｅｗ  Ｆｉｎｄｅｒ）と呼ばれる液晶パネルを用いた構成に変更することで、より多くの撮影に関するパラメータを表示することも可能である。
【００９１】
図４のフローチャートと、図５、図６を用いて、例として、ＩＳＯ感度設定値を変更する場合を例に本発明の動作を説明する。
【００９２】
ＩＳＯ感度スイッチ４１２が操作される（Ｓ６０２）と、システム制御５０は接眼検知部４００からの出力信号を元に、接眼状態であるかを判断する（Ｓ６０４）。
【００９３】
接眼状態でないと判断した場合は、画像表示部２８にＩＳＯ感度値が設定可能状態であることを表示する（Ｓ６２０）。続いてダイヤル４０２を操作（Ｓ６１０）し、選択した設定値を変更する（Ｓ６１２）。画像表示部２８には変更した値が反映され（Ｓ６１４）、撮影者は設定値を変更したことが確認できる。ダイヤル操作せず、他のボタンスイッチが操作された場合、そのスイッチに応じたパラメータが選択されていることを画像表示部２８に表示し、同様にパラメータ変更可能状態となる。
【００９４】
このように、接眼状態ではない、すなわちファインダーを覗いていない場合、撮影者はボタンスイッチの配置を確認して、設定項目に対応するボタンスイッチ操作を効率的に操作可能である。このため、一度のスイッチ操作で設定項目を選択・変更できる構成が有効である。
【００９５】
これに対し、Ｓ６０４で接眼状態であると判断した場合には、画像表示部２８の表示が点灯している場合はこれを消灯する。これはファインダーの近くに画像表示部２８が配置されているため、画像表示部２８からの不要な光が撮影者の目に入り煩わしく感じるのを防ぐためである。
【００９６】
ＩＳＯ感度選択スイッチ４１２が操作された場合でも、操作されたボタンスイッチの種類によらず、まず、ファインダー内の表示部５４には記録画像サイズ及び画質設定値５０４を点滅表示させ（Ｓ６０６）、そのパラメータが選択されていることを撮影者に通知する（図５（ａ））。次に、再びボタンスイッチ（４０４、４０６、４０８，４１０，４１２，４１４のいずれでも）が操作された場合（Ｓ６０８）にはＳ６０４に戻り、同様に接眼状態であるかを判断し、接眼状態であるならば、測光方法設定５０８を点滅表示させる（図５（ｂ））。このように、接眼状態と判断している状態では、各スイッチボタンは共通の単一機能、すなわち設定項目を選択する機能を有し、繰り返しボタン操作を続けることで、選択するパラメータを順次替えることが出来る。このため複数あるボタンスイッチのいずれを操作しても、変更したい設定項目を選択することが可能となる。図６はスイッチ操作を連続的におこなった時に、選択される設定パラメータの遷移を示した図である。
【００９７】
撮影者が変更したい設定パラメータを選択した状態で（図５（ｃ））、ダイヤルスイッチ４０２の操作を行い（Ｓ６１０）、設定値を変更する（Ｓ６１２）。変更した値は表示に反映する（Ｓ６１４、図５（ｄ））。他にも設定を変更する必要がある場合はＳ６０２に戻り（Ｓ６１６）同様の操作を行う。他に設定をする必要がない場合にはシャッタースイッチ６４を操作することで撮影動作を行う。
【００９８】
上記の様に、本発明のカメラによれば、ファインダーを覗いている状態では複数のボタンスイッチが共通の単一機能を有するために、撮影者が操作しやすいボタンを用いて設定するパラメータを選択することが出来る。また、ファインダーを覗いたまま設定するパラメータを選択することが出来るため、効果的に撮影準備をすることが可能になる。
【００９９】
上記実施の形態の説明においては、接眼状態において各ボタンスイッチは共通の機能、すなわち設定項目を選択する機能を有すると説明しているが、任意の１つまたは複数のボタンスイッチのみに共通の単一機能を持たせ、他のボタンスイッチの機能を無効とする構成にしても問題ない。
【０１００】
また、上記実施の形態の説明においては、接眼状態において各ボタンスイッチは共通の機能、すなわち設定項目を選択する機能を有すると説明しているが、任意の１つまたは複数のボタンスイッチには設定項目を上記とは逆順に選択する機能を有する構成としても問題ない。
【０１０１】
また、上記実施の形態の説明においては、接眼状態において各ボタンスイッチは共通の機能、すなわち設定項目を選択する機能を有すると説明しているが、これを無効／有効に切り替えられる構成としても問題ない。
【図面の簡単な説明】
【０１０２】
【図１】本発明を実現するための必要な機器類の構成図。
【図２】本発明を実現する機器の概略図。
【図３】本発明を実現する機器のファインダー内表示概略図。
【図４】本発明を実現するための主フローチャート。
【図５】設定項目選択時のファインダー内表示画面。
【図６】本発明における設定項目を選択する際の遷移図。
【符号の説明】
【０１０３】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４４  温度計
４６  測光手段
４８  フラッシュ
５０  システム制御回路
５２  メモリ
５４  表示部
５６  不揮発性メモリ
６０  モードダイアルスイッチ
６２  シャッタースイッチSW1
６４  シャッタースイッチSW2
６６  再生スイッチ
６８  単写/連写スイッチ
６９  ISO感度スイッチ
７０  操作部
７２  電源スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
４００  接眼検知手段
４０２  メインダイヤル
４０４  測距点選択スイッチ
４０６  ＡＦモード選択スイッチ
４０８  露出補正選択スイッチ
４１０  撮影画像サイズ及び画質選択スイッチ
４１２  ＩＳＯ感度選択スイッチ
４１４  ホワイトバランス選択スイッチ
４１６  測光方法選択スイッチ
【図１】
2007163773.tif 000003
【図２】
2007163773.tif 000004
【図３】
2007163773.tif 000005
【図４】
2007163773.tif 000006
【図５】
2007163773.tif 000007
【図６】
2007163773.tif 000008